【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
遊技媒体の数量が関連付けられた交換用記録媒体を通じて前記遊技媒体と所望の景品との交換を管理する景品管理装置であって、
前記遊技媒体と前記景品との交換を許可する貸出レートである許可レートを記憶する記憶手段と、
前記交換用記録媒体から取得した貸出レート特定用情報に基づいて特定した貸出レートが前記記憶手段に記憶された前記許可レートと一致する場合に、当該貸出レート特定用情報の取得元である前記交換用記録媒体を通じた前記交換を許可する制御を行う交換制御手段と
を備えたことを特徴とする景品管理装置。
【請求項２】
遊技媒体の数量が関連付けられた交換用記録媒体を通じて前記遊技媒体と所望の景品との交換を管理する景品管理装置であって、
前記遊技媒体と前記景品との交換を禁止する貸出レートである禁止レートを記憶する記憶手段と、
前記交換用記録媒体から取得した貸出レート特定用情報に基づいて特定した貸出レートが前記記憶手段に記憶された前記禁止レートと一致する場合に、当該貸出レート特定用情報の取得元である前記交換用記録媒体を通じた前記交換を禁止する制御を行う交換制御手段と
を備えたことを特徴とする景品管理装置。
【請求項３】
前記交換用記録媒体は、
遊技客によって獲得された獲得遊技媒体の貸出レートが関連付けられた計数記録媒体であって、
前記交換制御手段は、
前記計数記録媒体に関連付けられた前記貸出レートを前記貸出レート特定用情報として用いることを特徴とする請求項１または２に記載の景品管理装置。
【請求項４】
前記交換用記録媒体は、
予め登録処理された遊技客によって預け入れられた貯遊技媒体の数量が前記貸出レートごとに貯遊技媒体口座として関連付けられた会員用記録媒体であって、
前記交換制御手段は、
前記会員用記録媒体に関連付けられた前記貯遊技媒体口座の前記貸出レートを前記貸出レート特定用情報として用いることを特徴とする請求項１または２に記載の景品管理装置。
【請求項５】
前記交換制御手段によって交換が許可された所定の貯遊技媒体口座の貯遊技媒体数が前記景品の交換遊技媒体数に満たない場合に、前記交換制御手段によって交換が許可された他の貯遊技媒体口座を検索する検索手段と、
前記検索手段が前記他の貯遊技媒体口座の検索に成功した場合に、前記所定の貯遊技媒体口座および当該他の貯遊技媒体口座を前記交換に要する遊技媒体数の引き落とし元として決定する引き落とし元決定手段と
をさらに備えたことを特徴とする請求項４に記載の景品管理装置。
【請求項６】
遊技店に配設される遊技台の貸出レートの設定状況を記憶する設定状況記憶手段と、
前記設定状況記憶手段によって記憶された遊技台の前記貸出レートの設定状況を参照し、前記貸出レートごとの交換可否設定を当該景品管理装置および他の景品管理装置が有する前記記憶手段に登録する交換可否設定登録手段と
をさらに備えたことを特徴とする請求項１〜５のいずれか一つに記載の景品管理装置。
【請求項７】
遊技媒体の数量が関連付けられた交換用記録媒体を通じて前記遊技媒体と所望の景品との交換を管理する景品管理装置に用いる景品交換方法であって、
前記遊技媒体と前記景品との交換を許可する貸出レートである許可レートを記憶する記憶工程と、
前記交換用記録媒体から取得した貸出レート特定用情報に基づいて特定した貸出レートが前記記憶工程に記憶された前記許可レートと一致する場合に、当該貸出レート特定用情報の取得元である前記交換用記録媒体を通じた前記交換を許可する制御を行う交換制御工程と
を含んだことを特徴とする景品管理方法。
【請求項８】
遊技媒体の数量が関連付けられた交換用記録媒体を通じて前記遊技媒体と所望の景品との交換を管理する景品管理装置に用いる景品交換方法であって、
前記遊技媒体と前記景品との交換を禁止する貸出レートである禁止レートを記憶する記憶工程と、
前記交換用記録媒体から取得した貸出レート特定用情報に基づいて特定した貸出レートが前記記憶工程に記憶された前記禁止レートと一致する場合に、当該貸出レート特定用情報の取得元である前記交換用記録媒体を通じた前記交換を禁止する制御を行う交換制御工程と
を含んだことを特徴とする景品管理方法。
【手続補正２】
【補正対象書類名】明細書
【補正対象項目名】００１１
【補正方法】変更
【補正の内容】
【００１１】
上述した課題を解決し、目的を達成するために、本発明は、遊技媒体の数量が関連付けられた交換用記録媒体を通じて前記遊技媒体と所望の景品との交換を管理する景品管理装置であって、前記遊技媒体と前記景品との交換を許可する貸出レートである許可レートを記憶する記憶手段と、前記交換用記録媒体から取得した貸出レート特定用情報に基づいて特定した貸出レートが前記記憶手段に記憶された前記許可レートと一致する場合に、当該貸出レート特定用情報の取得元である前記交換用記録媒体を通じた前記交換を許可する制御を行う交換制御手段とを備えたことを特徴とする。
【手続補正３】
【補正対象書類名】明細書
【補正対象項目名】００１２
【補正方法】変更
【補正の内容】
【００１２】
また、本発明は、遊技媒体の数量が関連付けられた交換用記録媒体を通じて前記遊技媒体と所望の景品との交換を管理する景品管理装置であって、前記遊技媒体と前記景品との交換を禁止する貸出レートである禁止レートを記憶する記憶手段と、前記交換用記録媒体から取得した貸出レート特定用情報に基づいて特定した貸出レートが前記記憶手段に記憶された前記禁止レートと一致する場合に、当該貸出レート特定用情報の取得元である前記交換用記録媒体を通じた前記交換を禁止する制御を行う交換制御手段とを備えたことを特徴とする。
【手続補正４】
【補正対象書類名】明細書
【補正対象項目名】００１３
【補正方法】変更
【補正の内容】
【００１３】
また、本発明は、前記交換用記録媒体は、遊技客によって獲得された獲得遊技媒体の貸出レートが関連付けられた計数記録媒体であって、前記交換制御手段は、前記計数記録媒体に関連付けられた前記貸出レートを前記貸出レート特定用情報として用いることを特徴とする。
【手続補正５】
【補正対象書類名】明細書
【補正対象項目名】００１４
【補正方法】変更
【補正の内容】
【００１４】
また、本発明は、前記交換用記録媒体は、予め登録処理された遊技客によって預け入れられた貯遊技媒体の数量が前記貸出レートごとに貯遊技媒体口座として関連付けられた会員用記録媒体であって、前記交換制御手段は、前記会員用記録媒体に関連付けられた前記貯遊技媒体口座の前記貸出レートを前記貸出レート特定用情報として用いることを特徴とする。
【手続補正６】
【補正対象書類名】明細書
【補正対象項目名】００１５
【補正方法】変更
【補正の内容】
【００１５】
また、本発明は、前記交換制御手段によって交換が許可された所定の貯遊技媒体口座の貯遊技媒体数が前記景品の交換遊技媒体数に満たない場合に、前記交換制御手段によって交換が許可された他の貯遊技媒体口座を検索する検索手段と、前記検索手段が前記他の貯遊技媒体口座の検索に成功した場合に、前記所定の貯遊技媒体口座および当該他の貯遊技媒体口座を前記交換に要する遊技媒体数の引き落とし元として決定する引き落とし元決定手段とをさらに備えたことを特徴とする。また、本発明は、遊技店に配設される遊技台の貸出レートの設定状況を記憶する設定状況記憶手段と、前記設定状況記憶手段によって記憶された遊技台の前記貸出レートの設定状況を参照し、前記貸出レートごとの交換可否設定を当該景品管理装置および他の景品管理装置が有する前記記憶手段に登録する交換可否設定登録手段とをさらに備えたことを特徴とする。
【手続補正７】
【補正対象書類名】明細書
【補正対象項目名】００１６
【補正方法】変更
【補正の内容】
【００１６】
また、本発明は、遊技媒体の数量が関連付けられた交換用記録媒体を通じて前記遊技媒体と所望の景品との交換を管理する景品管理装置に用いる景品交換方法であって、前記遊技媒体と前記景品との交換を許可する貸出レートである許可レートを記憶する記憶工程と、前記交換用記録媒体から取得した貸出レート特定用情報に基づいて特定した貸出レートが前記記憶工程に記憶された前記許可レートと一致する場合に、当該貸出レート特定用情報の取得元である前記交換用記録媒体を通じた前記交換を許可する制御を行う交換制御工程とを含んだことを特徴とする。また、本発明は、遊技媒体の数量が関連付けられた交換用記録媒体を通じて前記遊技媒体と所望の景品との交換を管理する景品管理装置に用いる景品交換方法であって、前記遊技媒体と前記景品との交換を禁止する貸出レートである禁止レートを記憶する記憶工程と、前記交換用記録媒体から取得した貸出レート特定用情報に基づいて特定した貸出レートが前記記憶工程に記憶された前記禁止レートと一致する場合に、当該貸出レート特定用情報の取得元である前記交換用記録媒体を通じた前記交換を禁止する制御を行う交換制御工程とを含んだことを特徴とする。
【手続補正８】
【補正対象書類名】明細書
【補正対象項目名】００１７
【補正方法】変更
【補正の内容】
【００１７】
本発明によれば、遊技媒体と景品との交換を許可する貸出レートである許可レートを記憶し、交換用記録媒体から取得した貸出レート特定用情報に基づいて特定した貸出レートが記憶された許可レートと一致する場合に、この貸出レート特定用情報の取得元である交換用記録媒体を通じた交換を許可する制御を行うこととしたので、複数の貸出レートごとに景品カウンタを設ける場合に、特定の貸出レート専用の景品管理装置として機能させ、遊技店の運用ニーズに適合した景品交換サービスを実現することが可能な景品管理装置及び景品管理方法が得られるという効果を奏する。
【手続補正９】
【補正対象書類名】明細書
【補正対象項目名】００１８
【補正方法】変更
【補正の内容】
【００１８】
また、本発明によれば、遊技媒体と景品との交換を禁止する貸出レートである禁止レートを記憶し、交換用記録媒体から取得した貸出レート特定用情報に基づいて特定した貸出レートが記憶された禁止レートと一致する場合に、この貸出レート特定用情報の取得元である交換用記録媒体を通じた交換を禁止する制御を行うこととしたので、複数の貸出レートごとに景品カウンタを設ける場合に、特定の貸出レート専用の景品管理装置として機能させ、遊技店の運用ニーズに適合した景品交換サービスを実現することが可能な景品管理装置及び景品管理方法が得られるという効果を奏する。
【手続補正１０】
【補正対象書類名】明細書
【補正対象項目名】００１９
【補正方法】変更
【補正の内容】
【００１９】
また、本発明によれば、交換用記録媒体は、遊技客によって獲得された獲得遊技媒体の貸出レートが関連付けられた計数記録媒体であって、計数記録媒体に関連付けられた貸出レートを貸出レート特定用情報として用いることとしたので、それぞれの景品カウンタの景品管理装置を特定貸出レートの計数記録媒体専用の景品管理装置として機能させることができ、各貸出レートに対応する景品カウンタ間で交換景品の差別化を図りたいとする遊技店の運用ニーズを実効的に実現
することが可能な景品管理装置が得られるという効果を奏する。
【手続補正１１】
【補正対象書類名】明細書
【補正対象項目名】００２０
【補正方法】変更
【補正の内容】
【００２０】
また、本発明によれば、交換用記録媒体は、予め登録処理された遊技客によって預け入れられた貯遊技媒体の数量が貸出レートごとに貯遊技媒体口座として関連付けられた会員用記録媒体であって、会員用記録媒体に関連付けられた貯遊技媒体口座の貸出レートを貸出レート特定用情報として用いることとしたので、それぞれの景品カウンタの景品管理装置を特定貸出レートの貯遊技媒体口座専用の景品管理装置として機能させることができ、各貸出レートに対応する景品カウンタ間で交換景品の差別化を図りたいとする遊技店の運用ニーズを実効的に実現することが可能な景品管理装置が得られるという効果を奏する。
【手続補正１２】
【補正対象書類名】明細書
【補正対象項目名】００２１
【補正方法】変更
【補正の内容】
【００２１】
また、本発明によれば、交換が許可された所定の貯遊技媒体口座の貯遊技媒体数が景品の交換遊技媒体数に満たない場合に、交換が許可された他の貯遊技媒体口座を検索し、他の貯遊技媒体口座の検索に成功した場合に、所定の貯遊技媒体口座および検索に成功した他の貯遊技媒体口座を交換に要する遊技媒体数の引き落とし元として決定することとしたので、景品管理装置で交換が許可される全ての貸出レートの貯遊技媒体口座を用いて景品交換を行うことができ、遊技客の景品交換サービスに係る利便性を向上させることが可能な景品管理装置が得られるという効果を奏する。また、本発明によれば、遊技店に配設される遊技台の貸出レートの設定状況を記憶し、記憶された遊技台の貸出レートの設定状況を参照し、貸出レートごとの交換可否設定をこの景品管理装置および他の景品管理装置が有する記憶部に登録することとしたので、複数の景品管理装置の交換可否設定を自動的に登録することができ、遊技店の実運用に適合した交換可否設定を効率的に行うことが可能な景品管理装置が得られるという効果を奏する。